(57)【要約】【課題】  ＨＤＤレコーダのファイルバックアップでは、データ転送する操作に手間がかかりデータを転送する間はＨＤＤレコーダをユーザが使用することができなかった。また、大容量データ転送のため通信回線に過大なる負荷をかけるとともに、バックアップシステムへの記憶容量が増大する。【解決手段】ＨＤＤレコーダに受信するデータの格納を指示する内部格納指示手段と、記憶装置に受信するデータと同一のデータの保存・記録を指示する外部格納指示手段と、外部指示手段で指示されたデータを保存・記録する外部記憶装置と、電子装置の記憶装置に格納したデータが破損した場合または消去した場合に前記外部記憶装置に記録・保存したデータの転送を要求する転送要求手段とを有し、転送されたデータにより前記電子装置の記憶装置での破損したファイルまたは消去したファイルを再生させることで課題を解決できる。【選択図】図１
2007188377.tif 000002
【特許請求の範囲】
【請求項１】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段とを有することを特徴とする電子装置。
【請求項２】
請求項１記載の外部から受信するデータは、画像データまたは音声データであることを特徴とする電子装置。
【請求項３】
請求項１記載の電子装置は、ＨＤＤレコーダまたは、液晶ＴＶまたは、プラズマＴＶまたは、パーソナルコンピュータであることを特徴とする電子装置。
【請求項４】
請求項１記載の受信するデータの受信方法は、地上波デジタル放送からのもの、または、公衆回線を用いたインターネットからのものであることを特徴とする電子装置。
【請求項５】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段と、
前記外部指示手段で指示されたデータを保存・記録する外部記憶装置とを有することを特徴とするバックアップシステム。
【請求項６】
請求項５記載の外部から受信するデータは、画像データまたは音声データであることを特徴とする電子装置。
【請求項７】
請求項５記載の電子装置は、ＨＤＤレコーダまたは、液晶ＴＶまたは、プラズマＴＶまたは、パーソナルコンピュータであることを特徴とする電子装置。
【請求項８】
請求項５記載の受信するデータの受信方法は、地上波デジタル放送からのもの、または、公衆回線を用いたインターネットからのものであることを特徴とする電子装置。
【請求項９】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段と、
前記外部指示手段で指示されたデータを保存・記録する外部記憶装置とを有し、
前記電子装置の記憶装置に格納したデータが破損した場合または消去した場合に前記外部記憶装置に記録・保存したデータの転送を要求する転送要求手段を有し、
前記転送されたデータにより前記電子装置の記憶装置での破損したファイルまたは消去したファイルを再生させることを特徴とするバックアップシステム。
【請求項１０】
請求項９記載の外部から受信するデータは、画像データまたは音声データであることを特徴とする電子装置。
【請求項１１】
請求項９記載の電子装置は、ＨＤＤレコーダまたは、液晶ＴＶまたは、プラズマＴＶまたは、パーソナルコンピュータであることを特徴とする電子装置。
【請求項１２】
請求項９記載の受信するデータの受信方法は、地上波デジタル放送からのもの、または、公衆回線を用いたインターネットからのものであることを特徴とする電子装置。
【請求項１３】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段と、
前記外部指示手段で指示されたデータを保存・記録する外部記憶装置とを有し、
前記電子装置の記憶装置に格納したデータが破損した場合または消去した場合に前記外部記憶装置に記録・保存したデータの転送を要求する転送要求手段を有し、
前記転送されたデータにより前記電子装置の記憶装置での破損したファイルまたは消去したファイルを再生させるバックアップシステムで、格納するデータの内容により異なる料金を設定することを特徴とするバックアップサービス提供方法。
【請求項１４】
請求項１３記載の料金は、バックアップ要求１回当りのバックアップ初期費用を含むことを特徴とするバックアップサービス提供方法。
【請求項１５】
請求項１３記載の料金は、バックアップするデータ容量と保持する期間とから換算される保持期間費用を含むことを特徴とするバックアップサービス提供方法。
【請求項１６】
請求項１３記載の料金は、バックアップしたデータを転送する転送要求１回当りの再生初期費用を含むことを特徴とするバックアップサービス提供方法。
【請求項１７】
請求項１３記載の料金は、バックアップしたデータを転送する転送要求１回に転送するデータ容量に比例する再生データ転送費用を含むことを特徴とするバックアップサービス提供方法。
【請求項１８】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段と、
前記外部指示手段で指示されたデータを保存・記録する外部記憶装置とを有し、
前記外部記憶装置に対し異なるユーザから同一のデータの格納要求が発生した場合には同一のデータを前記外部記憶装置の異なる複数のデータ領域に記憶・保存しないで、共通の単一のデータ領域に格納し、記憶するデータ容量を低減することを特徴とするバックアップシステム。
【請求項１９】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段と、
前記外部指示手段で指示されたデータを保存・記録する外部記憶装置とを有し、
前記外部記憶装置に対し異なるユーザから同等のデータの格納要求が発生した場合には同等データの内、総ての情報を包含するデータのみを前記外部記憶装置に格納・記憶して記録するデータ容量を削減することを特徴とするバックアップシステム。
【請求項２０】
ＨＤＤ等の記憶装置を内蔵し外部から受信したデータを前記記憶装置にファイルとして記憶する電子装置において、
前記記憶装置に受信するデータの格納を指示する内部格納指示手段と、
前記記憶装置に受信するデータと同一のデータの保存・記録を指示する外部格納指示手段と、
前記外部指示手段で指示されたデータを保存・記録する外部記憶装置とを有し、
前記外部記憶装置に対し異なるユーザから同等のデータの格納要求が発生した場合には同等データの内、総ての情報を包含するデータのみを前記外部記憶装置に格納・記憶し、ユーザからデータ転送要求が発生した場合に、前記ユーザの転送要求内容に合わせて前記格納・記憶した記録データの内容を間引いて、間引き後のデータを転送することを特徴とするバックアップシステム。
【請求項２１】
ＨＤＤ等の記憶装置を複数個内蔵し外部から受信したデータを前記記憶装置の１つにファイルとして記憶する電子装置において、
前記複数の記憶装置で第１の記憶装置に受信するデータの格納を指示する第１の内部格納指示手段と、
前記別の１つ以上の第２の記憶装置に受信するデータの格納を指示する第２の内部格納指示手段と、
前記記憶装置に受信するデータと同一のデータの保存・記録を指示する外部格納指示手段とを有することを特徴とする電子装置。
【請求項２２】
ＨＤＤ等の記憶装置を複数個内蔵し外部から受信したデータを前記記憶装置の１つにファイルとして記憶する電子装置において、
前記複数の記憶装置で第１の記憶装置に受信するデータの格納を指示する第１の内部格納指示手段と、
前記別の１つ以上の第２の記憶装置に受信するデータの格納を指示する第２の内部格納指示手段と、
前記記憶装置に受信するデータと同一のデータの保存・記録を指示する外部格納指示手段とを有し、
前記第１及び第２の内部格納指示手段で指示されたデータを消去する場合、第１の内部格納指示手段に対応する第１の記憶装置に格納したデータのみを消去し、第２の記憶装置に格納したデータは消去しないことを特徴とする電子装置。
【請求項２３】
ＨＤＤ等の記憶装置を複数個内蔵し外部から受信したデータを前記記憶装置の１つにファイルとして記憶する電子装置において、
前記複数の記憶装置で第１の記憶装置に受信するデータの格納を指示する第１の内部格納指示手段と、
前記別の１つ以上の第２の記憶装置に受信するデータの格納を指示する第２の内部格納指示手段と、
前記記憶装置に受信するデータと同一のデータの保存・記録を指示する外部格納指示手段とを有し、
前記第１及び第２の内部格納指示手段で指示されたデータを消去する場合、第１の内部格納指示手段に対応する第１の記憶装置に格納したデータは自動的に消去し、さらに第２の記憶装置に格納したデータを消去する場合には確認情報入力を求め、その後消去することを特徴とする電子装置。
【請求項２４】
ＨＤＤ等の記憶装置を複数個内蔵し外部から受信したデータを前記記憶装置の１つにファイルとして記憶する電子装置において、
前記複数の記憶装置で第１の記憶装置に受信するデータの格納を指示する第１の内部格納指示手段と、
前記別の１つ以上の第２の記憶装置に受信するデータの格納を指示する第２の内部格納指示手段と、
前記記憶装置に受信するデータと同一のデータの保存・記録を指示する外部格納指示手段とを有し
前記外部指示手段で指示されたデータを保存・記録する外部記憶装置とを有することを特徴とするバックアップシステム。
【請求項２５】
ＨＤＤ等の記憶装置を複数個内蔵し外部から受信したデータを前記記憶装置の１つにファイルとして記憶する電子装置において、
前記複数の記憶装置で第１の記憶装置に受信するデータの格納を指示する第１の内部格納指示手段と、
前記別の１つ以上の第２の記憶装置に受信するデータの格納を指示する第２の内部格納指示手段と、
前記記憶装置に受信するデータと同一のデータの保存・記録を指示する外部格納指示手段とを有し
前記外部指示手段で指示されたデータを保存・記録する外部記憶装置とを有し、
前記電子装置の第１及び第２の記憶装置に格納したデータが破損した場合または消去した場合に前記外部記憶装置に記録・保存したデータの転送を要求する転送要求手段を有し、
前記転送されたデータにより前記電子装置の記憶装置での破損したファイルまたは消去したファイルを再生させることを特徴とするバックアップシステム。
【発明の詳細な説明】
【技術分野】
【０００１】
本発明は、外部からの放送波またはインターネット等より受信した画像データまたは音声データなどのコンテンツ情報をＨＤＤに記録・保存する電子装置（ＨＤＤレコーダ、ＨＤＤ付き液晶モニタ、パーソナルコンピュータ等）に関し、または、その電子装置のファイルのバックアップシステム及びバックアップサービス提供方法に関するものである。
【背景技術】
【０００２】
従来、放送波などで受信したテレビ番組や映画番組、ラジオ番組をアナログ情報として録画または録音するものとしてビデオテープレコーダ（以下ＶＴＲと略す）やテープレコーダが一般的であった。
【０００３】
最近の技術革新により大容量のハードディスク（以下ＨＤＤと略す）を内蔵したハードディスクレコーダ（以下ＨＤＤレコーダと略す）が登場し、放送波などで受信したテレビ番組や映画番組、ラジオ番組のアナログ情報をデジタル情報に変換し、変換後のデジタル情報を記録・再生できるとともに、記録できる容量も日進月歩で大きくなってきている。  前記ＶＴＲの場合には、アナログ信号を磁気テープに磁気方向を可変し画像及び音声を録画・再生し、繰り返し映画番組等を視聴するものである。
【０００４】
ところが、同一テープに繰り返し録画すること、または録画した同一番組を繰り返し視聴することでテープ自体が磨耗し録画した画質が視聴毎に劣化して、録画しようとする画像または音声が同一品質でなくなるいう欠点がある。さらに、長時間用録画テープでは録画した番組を検索したりする時間が大きいという欠点もあった。
【０００５】
一方、ＨＤＤレコーダは、放送波などで受信したテレビ番組や映画番組、ラジオ番組をデジタル情報に変換してＨＤＤに録画するため、繰り返し視聴しても画像及び音声の劣化が発生せず、さらに録画番組を検索することも簡単にできるようになっている。
【０００６】
ところが、ＨＤＤレコーダにおいてのＨＤＤは電気部品だけでなく精巧な機構備品を有するため、ビデオテープと比較して振動に対する耐久性が小さくＨＤＤ内のヘッド部による内部磁気媒体（通称：記録円盤）を傷つけ、記録したファイル情報、すなわち画像情報や音声情報を破損する可能性がある。
【０００７】
そのようなファイル情報に破損または破壊が発生すると、録画した画像情報または音声情報を正常に再生できないばかりか、再生そのものが不可能となることもある。
【０００８】
そこで、ファイル破損または破壊する場合に備えファイルのバックアップを作成する方法や記録するＨＤＤを多重化し同一情報を複数のＨＤＤに記憶するミラーリング方法があるが、ＨＤＤが２台以上必要になり製品価格が高くなる欠点または安価な製品では記録できる容量が小さくなるという欠点があった。
【０００９】
前記欠点を解消するために特許文献１に記載のバックアップシステムが考案されている。前記バックアップシステムは、ＨＤＤに格納した画像ファイルをバックアップ用画像ファイルとして通信回線を通じてサーバに送信し、サーバ側でも同一のデータをバックアップするもので、さらに前記ＨＤＤレコーダ内ＨＤＤの画像ファイルが破損したときにサーバから受信したバックアップ用画像ファイルをＨＤＤレコーダ内ＨＤＤに再格納するものである。
【００１０】
【特許文献１】特開２００４−２１６３４号公報
【発明の開示】
【発明が解決しようとする課題】
【００１１】
前記背景技術に記載したＨＤＤレコーダとそのファイルバックアップシステムは、一旦前記ＨＤＤレコーダに記録・格納したデータを、格納後に前記ファイルファイルバックシステムに転送するため、
（１） 転送する操作に手間が掛かる。
（２） データを転送する間はＨＤＤレコーダをユーザが使用することができない。
（３） 複数のユーザが、大容量のデータを転送することにより公衆回線を使用したインターネット上での最大通信能力を超えることにより転送に多大な時間が必要である。
（４） 複数のユーザが同時にデータをバックアップすることに対し考慮されていない。
という問題があった。さらに、
（５） 複数のユーザが同一データのバックアップ要求に対し、バックアップシステムへの記憶容量が増大することに対し考慮されていなかった。
（６） バックアップサービスに関する料金設定が考慮されていなかった。
という点にも問題があった。
【００１２】
本発明の目的は、データのバックアップ及びバックアップデータからの再生を好適に行うシステム及びサービス方法を提供するものである。
【課題を解決するための手段】
【００１３】
本発明は、前記目的を達成するために、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段とを有することを特徴とする電子装置を提供するものである。
【００１４】
また、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段と、前記外部指示手段で指示されたデータを保存・記録する外部記憶装置とを有することを特徴とするバックアップシステムを提供するものである。
【００１５】
さらに、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段と、前記外部指示手段で指示されたデータを保存・記録する外部記憶装置とを有し、前記電子装置の記憶装置に格納したデータが破損した場合または消去した場合に前記外部記憶装置に記録・保存したデータの転送を要求する転送要求手段を有し、前記転送されたデータにより前記電子装置の記憶装置での破損したファイルまたは消去したファイルを再生させることを特徴とするバックアップシステムを提供するものである。
【００１６】
さらに、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段と、前記外部指示手段で指示されたデータを保存・記録する外部記憶装置とを有し、前記電子装置の記憶装置に格納したデータが破損した場合または消去した場合に前記外部記憶装置に記録・保存したデータの転送を要求する転送要求手段を有し、前記転送されたデータにより前記電子装置の記憶装置での破損したファイルまたは消去したファイルを再生させるバックアップシステムで、格納するデータの内容により異なる料金（バックアップ要求１回当りのバックアップ初期費用またはバックアップするデータ容量と保持する期間とから換算される保持期間費用、バックアップしたデータを転送する転送要求１回当りの再生初期費用、バックアップしたデータを転送する転送要求１回に転送するデータ容量に比例する再生データ転送費用等）を設定することを特徴とするバックアップサービス提供方法を提供するものである。
【００１７】
さらに、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段と、前記外部指示手段で指示されたデータを保存・記録する外部記憶装置とを有し、前記外部記憶装置に対し異なるユーザから同一のデータの格納要求が発生した場合には同一のデータを前記外部記憶装置の異なる複数のデータ領域に記憶・保存しないで共通の単一のデータ領域に格納し記憶するデータ容量を低減することを特徴とするバックアップシステムを提供するものである。
【００１８】
さらに、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段と、前記外部指示手段で指示されたデータを保存・記録する外部記憶装置とを有し、前記外部記憶装置に対し異なるユーザから同等のデータの格納要求が発生した場合には同等データの内、総ての情報を包含するデータのみを前記外部記憶装置に格納・記憶して記録するデータ容量を削減することを特徴とするバックアップシステムを提供するものである。
【００１９】
さらに、ＨＤＤ等の記憶装置を内蔵し外部から受信したデータを前記記憶装置にファイルとして記憶する電子装置において、前記記憶装置に受信するデータの格納を指示する内部格納指示手段と、前記記憶装置に受信するデータと同一のデータの保存・記録を指示する外部格納指示手段と、前記外部指示手段で指示されたデータを保存・記録する外部記憶装置とを有し、前記外部記憶装置に対し異なるユーザから同等のデータの格納要求が発生した場合には同等データの内、総ての情報を包含するデータのみを前記外部記憶装置に格納・記憶し、ユーザからデータ転送要求が発生した場合に、前記ユーザの転送要求内容に合わせて前記格納・記憶した記録データの内容を間引いて、間引き後のデータを転送することを特徴とするバックアップシステムを提供するものである。
【００２０】
さらに、ＨＤＤ等の記憶装置を複数個内蔵し外部から受信したデータを前記記憶装置の１つにファイルとして記憶する電子装置において、前記複数の記憶装置で第１の記憶装置に受信するデータの格納を指示する第１の内部格納指示手段と、前記別の１つ以上の第２の記憶装置に受信するデータの格納を指示する第２の内部格納指示手段と、前記記憶装置に受信するデータと同一のデータの保存・記録を指示する外部格納指示手段とを有することを特徴とする電子装置を提供するものである。
【００２１】
さらに、ＨＤＤ等の記憶装置を複数個内蔵し外部から受信したデータを前記記憶装置の１つにファイルとして記憶する電子装置において、前記複数の記憶装置で第１の記憶装置に受信するデータの格納を指示する第１の内部格納指示手段と、前記別の１つ以上の第２の記憶装置に受信するデータの格納を指示する第２の内部格納指示手段と、前記記憶装置に受信するデータと同一のデータの保存・記録を指示する外部格納指示手段とを有し、前記第１及び第２の内部格納指示手段で指示されたデータを消去する場合、第１の内部格納指示手段に対応する第１の記憶装置に格納したデータのみを消去し、第２の記憶装置に格納したデータは消去しないことを特徴とする電子装置を提供するものである。
【００２２】
さらに、ＨＤＤ等の記憶装置を複数個内蔵し外部から受信したデータを前記記憶装置の１つにファイルとして記憶する電子装置において、前記複数の記憶装置で第１の記憶装置に受信するデータの格納を指示する第１の内部格納指示手段と、前記別の１つ以上の第２の記憶装置に受信するデータの格納を指示する第２の内部格納指示手段と、前記記憶装置に受信するデータと同一のデータの保存・記録を指示する外部格納指示手段とを有し、前記第１及び第２の内部格納指示手段で指示されたデータを消去する場合、第１の内部格納指示手段に対応する第１の記憶装置に格納したデータは自動的に消去し、さらに第２の記憶装置に格納したデータを消去する場合には確認情報入力を求め、その後消去することを特徴とする電子装置を提供するものである。
【００２３】
さらに、ＨＤＤ等の記憶装置を複数個内蔵し外部から受信したデータを前記記憶装置の１つにファイルとして記憶する電子装置において、前記複数の記憶装置で第１の記憶装置に受信するデータの格納を指示する第１の内部格納指示手段と、前記別の１つ以上の第２の記憶装置に受信するデータの格納を指示する第２の内部格納指示手段と、前記記憶装置に受信するデータと同一のデータの保存・記録を指示する外部格納指示手段とを有し前記外部指示手段で指示されたデータを保存・記録する外部記憶装置とを有することを特徴とするバックアップシステムを提供するものである。
【００２４】
さらに、ＨＤＤ等の記憶装置を複数個内蔵し外部から受信したデータを前記記憶装置の１つにファイルとして記憶する電子装置において、前記複数の記憶装置で第１の記憶装置に受信するデータの格納を指示する第１の内部格納指示手段と、前記別の１つ以上の第２の記憶装置に受信するデータの格納を指示する第２の内部格納指示手段と、前記記憶装置に受信するデータと同一のデータの保存・記録を指示する外部格納指示手段とを有し前記外部指示手段で指示されたデータを保存・記録する外部記憶装置とを有し、前記電子装置の第１及び第２の記憶装置に格納したデータが破損した場合または消去した場合に前記外部記憶装置に記録・保存したデータの転送を要求する転送要求手段を有し、前記転送されたデータにより前記電子装置の記憶装置での破損したファイルまたは消去したファイルを再生させることを特徴とするバックアップシステムを提供するものである。
【発明の効果】
【００２５】
本発明によれば、放送番組視聴と同時に外部バックアップ記憶装置に視聴番組をファイルとして格納できるため、
（１）ファイルを転送する操作が省け、使い勝手が向上する。
（２）バックアップのためのデータ転送が不必要なため、ＨＤＤレコーダなどの電子機器を常時使用可能とすることができる。
（３）複数のユーザが大容量のデータを転送することにより公衆回線を使用したインターネットに過大なる負荷を掛けることがなくなり使用効率が向上し、他のデータの転送や読み込み時間を短縮できる。
（４）複数のユーザが同一のデータをバックアップする要求に対し、バックアップシステムへの記憶容量が増大することを防止できる。
（５）ユーザが満足するバックアップサービスに関する料金設定が提供できる。
という効果がある。
【発明を実施するための最良の形態】
【００２６】
以下に本発明の実施の形態を説明する。
【実施例１】
【００２７】
本発明の一実施例である電子装置とそのバックアップシステム及びバックアップサービス提供方法におけるインターネットを介しデータのバックアップ及び再生動作及び構成を図１、図３、図４、図６、図９、図１０、図１１で説明する。
【００２８】
図１は、インターネットを介しデータのバックアップ及び再生を示す全体機能概要図である。図３は、電子装置とバックアップシステムと情報提供者との間でのデータ及び制御情報のやり取りを示す遷移図である。図４は、電子装置及びバックアップシステムへの同時データ格納と電子装置側でのデータの誤消去時の再生動作を示す動作概念図である。図６は、電子装置としてのＨＤＤレコーダの内部機能を説明する機能図である。図９は、全体の機能を制御するためのプログラム構成を説明する機能図である。図１０は、バックアップシステムでのファイル格納を管理する格納情報構成を説明する構成図である。図１１は、バックアップシステムでのユーザバックアップ情報の構成を説明する構成図である。
【００２９】
図１で１０２、１０３、１０４は本発明の電子装置の製品例示としてのＨＤＤレコーダで、１０５及び１０６は液晶テレビジョン（以下、液晶ＴＶと略す）である。
【００３０】
１０２a、１０３ａ、１０４ａ、１０５ａ、１０６ａは前記ＨＤＤレコーダ及び液晶ＴＶにおける内蔵ＨＤＤである。１０２ｂ、１０３ｂ、１０４ｂ、１０５ｂ、１０６ｂは、コンテンツプロバイダ１００から供給されたコンテンツ情報１００ａを内蔵ＨＤＤに記録・格納した結果の格納データである。本発明では、前記格納データ１０２ｂ、１０３ｂ、１０４ｂ、１０５ｂ、１０６ｂと同一のデータとしてバックアップシステム１０７における内蔵ＨＤＤ１０７ａ、１０８ａ等に同時に記録・格納するものである。
【００３１】
ちなみに、前記コンテンツ情報１００ａは公衆回線等利用したインターネット１０１を介し前記ＨＤＤレコーダ１０２、１０３、１０４及び液晶ＴＶ１０５、１０６とバックアップシステム１０７に提供・供給される。
【００３２】
前記ＨＤＤレコーダ１０２、１０３、１０４ないし前記液晶ＴＶ１０５、１０６から前記バックアップシステム１０７へのコンテンツ情報１００ａのバックアップは、まずバックアップ要求１０８としてＨＤＤレコーダ１０２から図１１記載の情報とともに予め送信される。その情報内容は曜日情報１１０１、開始時間情報１１０２、終了時間情報１１０３、番組チャンネル情報１１０４、番組名１１０５、画像品質１１０６、音声品質１１０７で構成される。すなわちユーザが所望する番組（ここでは、番組という音声付き動画像を１つの例として説明しているが、静止画像または音声番組等でもかまわない）を所望する画像品質ならびに音声品質でバックアップすることを依頼するものである。前記バックアップシステム１０７は前記ＨＤＤレコーダ１０２からのバックアップ要求１０８の情報によりコンテンツプロバイダ１００から所定のコンテンツ情報１００ａである番組が配信された場合、それを受けて内蔵ＨＤＤ１０７ａ等にそのコンテンツ情報を記録・格納する。同時にＨＤＤレコーダ１０２の内蔵ＨＤＤ１０２ａにも記録・格納されるのは言うまでもない。図１では、例えば、ＨＤＤレコーダ１０２からコンテンツプロバイダ１００より配信される予定のコンテンツ情報“Ａ１”１０２ｂをバックアップするようバックアップシステム１０７に要求し、そのコンテンツ情報“Ａ１”１０２ｂをユーザが視聴すると、またはＨＤＤレコーダ１０２に予約録画すると同時に内蔵ＨＤＤ１０２ａにコンテンツ情報“Ａ１”１０２ｂが記録・格納されると同時にバックアップシステム１０７の内蔵ＨＤＤ１０７ａにコンテンツ情報“Ａ１”１０２ｂが記録・格納される。
【００３３】
なお、異なるユーザが同一のコンテンツ情報“Ａ１”１０２ｂをバックアップシステム１０７に要求し記録・格納することもできるし、異なるユーザが異なるコンテンツ情報“Ａ１”１０２ｂ、“Ａ２”１０３ｂ、“Ａｘ”１０４ｂ、“Ｂ１”１０５ｂ、“Ｂ２”１０６ｂをバックアップシステム１０７に要求し記録・格納することもできる。
【００３４】
次に、バックアップしたコンテンツ情報の復帰・再生動作について説明する。いま、ＨＤＤレコーダ１０２の内蔵ＨＤＤ１０２ａに記録・格納してコンテンツ情報“Ａ１”１０２ｂをユーザが誤って消去してしまった場合を考える。（内蔵ＨＤＤ１０２aドライブそのものの機械的または電気的故障によるファイル破損やファイル読出し不可能な状況も想定することができる）
この場合、ユーザはＨＤＤレコーダ１０２から再生データ転送要求１０９を出力する。
【００３５】
本再生データ転送要求１０９は、ユーザが過去にバックアップを要求したコンテンツ情報の中から曜日情報１１０１、開始時間情報１１０２、終了時間情報１１０３、番組チャンネル情報１１０４、番組名１１０５、画像品質１１０６、音声品質１１０７を指定する情報を含む。
【００３６】
その再生データ転送要求１０９は、インターネット１０１を介しバックアップシステム１０７に送信される。バックアップシステム１０７はその再生データ転送要求１０９を受けてバックアップしている複数のコンテンツ情報からユーザ指定コンテンツ情報を検索・抽出する。検索・抽出したコンテンツ情報、すなわち再生データ１１０を出力しインターネット１０１を介しＨＤＤレコーダ１０２に送信する。ＨＤＤレコーダ１０２は送信された再生データ１１０を持って誤って消去したコンテンツ情報を再生・復帰させる。
【００３７】
ユーザ側（ＨＤＤレコーダ１０２）とバックアップシステム１０７間の要求・データ転送等を含めた詳細な動作について図３を用いて説明する。まず、ＨＤＤレコーダ１０２からバックアップ要求３００をバックアップシステム１０７に送信する。バックアップシステム１０７は受信したバックアップ要求３００を受けてＨＤＤレコーダ１０２に対しユーザＩＤ・パスワード要求３０１を送信する。ＨＤＤレコーダ１０２を使用しているユーザは、そのユーザＩＤ・パスワード要求３０１に対し正規のユーザＩＤ・パスワード入力３０２をバックアップシステム１０７に送信する。バックアップシステム１０７は受信したユーザＩＤ・パスワード情報に対して正規ユーザからのものかどうかの確認作業である正規ユーザ確認３０３を実施する。正規ユーザと判断した場合には、確認認証通知３０４をＨＤＤレコーダ１０２に送信する。ユーザは、バックアップシステム１０７が正規ユーザとして認証したことを受けて、バックアップしたいコンテンツの特定情報、すなわち日時・チャンネル・番組名・バックアップ時間（開始時間及び終了時間または開始時間と記録時間）を送信する。バックアップシステム１０７はその特定情報から所定の番組の記録・格納を準備する。その後、コンテンツプロバイダ１００から所定のコンテンツ情報が配信されるとユーザは、そのコンテンツ情報を視聴するとともに使用しているＨＤＤレコーダ１０２の内蔵ＨＤＤ１０２aに記録・格納する。または視聴せず記録・格納し、後から視聴しても良い。同時にバックアップシステム１０７の内蔵ＨＤＤ１０７ａ等に同一コンテンツ情報を記録・格納する動作であるバックアップ３１７を実行する。
【００３８】
この後、ユーザがＨＤＤレコーダ１０２の内蔵ＨＤＤ１０２aに記録・格納した前記コンテンツ情報を誤って消去３０８をしてしまったとする。その場合、バックアップシステム１０７に対し再送データ転送要求３０９を送信する。その後、復帰・回復したいコンテンツの特定情報、すなわち日時・チャンネル・番組名・バックアップ時間（開始時間及び終了時間または開始時間と記録時間）を再生データ情報３１０として送信する。バックアップシステム１０７は受信した特定情報で記録・格納しているコンテンツ情報群を検索し該当するものを抽出する作業であるバックアップ有無確認３１１を実行する。該当するコンテンツ情報を抽出できたらバックアップデータ送信３１２を実施しＨＤＤレコーダ１０２に対し所望のデータを送信するバックアップデータ送信３１２を実行する。
【００３９】
ＨＤＤレコーダ１０２は、バックアップシステム１０７から送信されたバックアップデータを内蔵ＨＤＤ１０２ａに記録・格納を実行する。すなわち、図中の復帰３１３である。  その後、バックアップシステム１０７に対し再生したコンテンツ情報の消去依頼３１４を送信し、消去３１５を実施し消去完了通知３１６を受けバックアップしているコンテンツ情報の総記憶容量を削減しても良い。本動作は、後述するバックアップ維持費用等の料金体系に係わり費用削減にも役立つ。なお、重要なコンテンツ情報では本消去動作を実施せずバックアップシステム１０７で記録・格納し続けても良い。
【００４０】
その動作について図４を使用し説明する。インターンネット１０１からのコンテンツ情報“Ａ１”１０２ｂ、“Ｂ１”１０２ｃ、“Ｃ１”１０２ｄ、“Ｚ１”１０２ｅ、…を逐次ＨＤＤレコーダ１０２に記録・格納する場合、記録・格納する前にバックアップシステム１０７にバックアップ要求１０８でバックアップを要求する。すなわちコンテンツ情報“Ａ１”１０２ｂ、“Ｂ１”１０２ｃ、“Ｃ１”１０２ｄ、“Ｚ１”１０２ｅがＨＤＤレコーダ１０２の内蔵ＨＤＤ１０２ａに記録・格納されると同時にバックアップシステム１０７のＨＤＤ１０７ａに記録・格納される。いま、ＨＤＤレコーダ１０２のＨＤＤ１０２ａに記録・格納したコンテンツ情報“Ｂ１”１０２ｃをユーザが誤って消去してしまうと、ユーザはバックアップシステム１０７に再生データ転送要求１０９を送信し、バックアップしているコンテンツ情報“Ｂ１”１０２ｃを再生データ１１０として送信するよう要求する。バックアップシステム１０７はバックアップしているコンテンツ情報“Ｂ１”１０２ｃをインターネット１０１経由でＨＤＤレコーダ１０２に送信し、ＨＤＤレコーダ１０２はそのコンテンツ情報“Ｂ１”１０２ｃを内蔵ＨＤＤ１０２ａに記録・格納してデータの復帰を終了する。
【００４１】
本実施例の説明で使用しているＨＤＤレコーダ１０２等は図６の構成が一例として考えられる。制御部６００はシステム全体を制御するもので、中央処理装置（以下ＣＰＵと略す）等から構成される。Ａ／Ｄ６０１は、アナログ・デジタル変換器において受信部で受信した放送波などのアナログ信号を制御部６００で使用できるようにデジタル信号に変換するものである。６０３はリモコンで録画番組の指定等の他、上述したバックアップ要求や再生データ要求などをしているもので、その情報はリモコン受信部６０４を通して制御部６００に伝達され所定の動作・機能が実現されるよう制御される。６０５、６０６、６０７はＨＤＤで、本図では２つ以上としているが１つでもかまわない。６０８はＴＶ（以下ＴＶ）に表示するためのアナログ信号を制御部６００出力デジタル信号から変換するデジタル・アナログ変換器である。通信部１  ６１１はインターネット１０１と制御部６００との通信制御を司るもので、同様に通信部２  ６１２はデジタルカメラ、パーソナルコンピュータ（以下ＰＣ）、プリンタなどの外部機器６１３との通信を司るものである。このようなハード構成で前述のバックアップ動作及び復帰・復活動作を達成できる。
【００４２】
なお、バックアップシステム１０７の詳細な構成（サーバ、ファイル装置、通信部など）は省略しているが、前記ＨＤＤレコーダ１０２等と同等の構成を含むことは言うまでもない。
【００４３】
次にソフトウェア構成について図９を用いて説明する。ＨＤＤレコーダ１０２側は、ユーザ情報入力プログラム９００、バックアップ情報入力プログラム９０１、バックアップ情報送信プログラム９０２、バックアップデータ送信転送要求プログラム９０３、転送バックアップデータ格納プログラム９０４、バックアップデータ消去要求プログラム９０５等で構成する。一方、バックアップシステム１０７側は、ユーザ情報管理プログラム９１０、ユーザ認証プログラム９１１、ユーザバックアップデータ格納プログラム９１２、ユーザバックアップデータ管理プログラム９１３、バックアップデータ消去プログラム９１４、料金算出プログラム９１５等で構成する。
【００４４】
ユーザがバックアップサービスの提供を受けたい場合にはバックアップシステム１０７に対しその旨要求を出す。バックアップシステム１０７はユーザ要求に対しユーザ情報管理プログラム９１０で、登録ユーザが否かを判断し未登録ユーザであれば所定のユーザ情報を要求し、登録ユーザであればユーザＩＤ及びパスワードを要求する。ユーザ側ではユーザ情報入力プログラム９００で氏名・住所・電話番号等の情報を入力しバックアップシステム１０７に送信する。本入力動作は最初の１回目で住所変更等がなければ、２回目以降はバックアップシステム１０７から提供されたユーザＩＤ及びパスワードを入力する。入力されたユーザＩＤ及びパスワードはバックアップシステム１０７のユーザ認証プログラム９１１で正規ユーザ否かを判断・認証する。正規ユーザと認証されたら、ＨＤＤレコーダ１０２はバックアップ情報入力プログラム９０１で「バックアップ」を所望するコンテンツ情報の内容を入力し、バックアップ情報送信プログラム９０２で前記内容を送信し「バックアップ」を要求・予約する。バックアップシステム１０７は前記内容に合致するコンテンツ情報がコンテンツプロバイダ１００または地上波デジタル放送局２００などから供給された場合は、ユーザバックアップ格納プログラム９１２で内蔵ＨＤＤ１０７ａ、１０８ａ等に記録・格納する。ユーザは１つ以上のコンテンツのバックアップを要求するし複数ユーザが存在するため、データ管理が混乱しないようユーザバックアップデータ管理プログラム９１３で管理を行う。ＨＤＤユーザ内のコンテンツ情報を誤って消去した場合にはバックアップデータ転送要求プログラム９０３でバックアップシステム１０７に対してバックアップしたデータの転送要求と復帰したいコンテンツ情報の内容とを合わせ要求する。バックアップシステム１０７はユーザバックアップ管理プログラム９１３でバックアップの有無確認とバックアップデータの転送を行う。ＨＤＤレコーダ１０２は転送されたデータを転送バックアップデータ格納プログラム９０４で、内蔵ＨＤＤ１０２ａ等に記録・格納して誤って消去したコンテンツ情報を再生・復活させる。この後、バックアップシステム１０７にバックアップしたデータを消去したい場合には、バックアップデータ消去要求プログラム９０５を実行して消去を要求する。バックアップシステム１０７は消去要求を受けてバックアップデータ消去プログラム９１４を実行し指定コンテンツ情報を消去する。本消去は、バックアップデータ転送直後だけでなく随時実行できることは言うまでもない。また、料金算出プログラム９１５はバックアップ要求回数、バックアップ総容量、バックアップ期間、バックアップデータ転送要求回数等により提供したサービスの質及び量よりユーザに請求する料金を算出するものである。その詳細については後述する。
【００４５】
次に、バックアップするコンテンツ情報とその付加情報（ユーザ情報等）の構成について図１０を用いて説明する。その構成は、ユーザ情報群１０００、ユーザバックアップ情報群１０１０、バックアップデータ領域１  １０２２、バックアップデータ領域２  １０２４、バックアップデータ領域３  １０２６で構成する。さらにユーザ情報群１０００はユーザ名１００１、住所１００２、パスワード１００３、登録日１００４等で構成される。ちなみにユーザ名、パスワードは前述の図９のユーザ認識プログラム９１１での認証にも使用される。ユーザバックアップ情報群１０１０は、バックアップした１つ以上のコンテンツ情報についての内容であるバックアップ情報（図１１参照）１０１１、１０１３，１０１５とバックアップデータ領域を指定するアドレス情報から構成される。例えば、内容１  １０１１１は図１１のバックアップ情報１のように注文Ｎｏ．１１００、曜日１１０１、開始時間１０２、終了時間１１０３、チャンネルＮｏ．１１０４、番組名１１０５、画像有無＆品質指定１１０６、画像有無＆品質指定１１０７、バックアップ容量１１０８、リカバリ（再生データ転送要求有無）１１０９で構成する。
【００４６】
以上説明したように図１の全体機能、図３のデータ・制御情報遷移、図４のバックアップ動作概念、図６のＨＤＤレコーダ内部構成機能、図９のプログラム構成、図１０及び図１１のデータ構成の組み合わせで前述の課題を解決でき効果を達成できる。
【００４７】
また、バックアップしたいコンテンツ情報をＥＰＧ（電子番組予約）を用いて特定・指示しても良い。なお、本実施例ではインターネットとという国際広域通信網を使用した場合について説明したが、ＬＡＮなどのローカルネットワークである地域内通信網または構内通信網や企業等におけるイントラネットなどの特定内部構内通信網などでも実施可能で同等・同一の効果を得られる。国際公線公接続の自由化により今後、次世代ブロードバンド通信に有力と考えられるインターネット電話が爆発的に普及すると思われるが、本発明はインターネット電話にも適用可能であり同等・同一の効果を得られる。さらに、ユーザ側機器としてＨＤＤレコーダを例としているが、ＨＤＤレコーダの代わりに携帯電話でも本発明を実施することが可能で同等・同一の効果を得られる。また、さらに、プロバイダー側にあるバックアップシステムは１つとしているが複数のプロバイダーでも本発明を実施可能で、プロバイダー同士でのバックアップを行う場合でも本発明を実施することが可能で同等・同一の効果を得られる。
【実施例２】
【００４８】
本発明の別の一実施例である電子装置とそのバックアップシステム及びバックアップサービス提供方法における情報提供者が地上波デジタル放送局である場合のデータのバックアップ及び再生動作及び構成を図２で説明する。
【００４９】
図２は、情報提供者が地上波デジタル放送局である場合のデータのバックアップ及び再生を示す全体機能概要図である。
【００５０】
図１がコンテンツプロバイダ１００からインターンネット１０１を介してのコンテンツ情報１００ａの配信であったが、本実施例では、地上波デジタル放送局２００からの放送波によるコンテンツ情報２００ａの配信である。本実施例でも、予めバックアップしたい番組等のコンテンツ情報をバックアップシステム１０７に通知してバックアップするものである。この場合の動作、機能、プログラム、データ構成、データ・制御情報遷移等は第一の実施形態で説明したと同様で同等の効果が有線だけでなく無線でも達成できる。
【実施例３】
【００５１】
本発明の別の一実施例である電子装置としての液晶ＴＶでの場合を図７で説明する。
【００５２】
図７は、液晶ＴＶの内部機能を説明する機能図である。図７は電子装置として液晶ＴＶを例示したもので図６のＨＤＤレコーダで、図１のコンテンツプロバイダ１００からインターンネット１０１を介してのコンテンツ情報１００ａの配信形態、図２の地上波デジタル放送局２００からの放送波によるコンテンツ情報２００ａの配信形態でも適用可能である。
【００５３】
その構成は、液晶ＴＶ１０５等は図７の構成が一例として考えられる。制御部７００はシステム全体を制御するもので、ＣＰＵ等から構成される。アンテナ７０１は、放送波を受信するもの受信波は受信部７０２のアナログ・デジタル変換器でアナログ信号を制御部７００で使用できるようにデジタル信号に変換し、変換後のデジタル信号を制御部に出力する。７０３はリモコンで録画番組の指定等の他、上述したバックアップ要求や再生データ要求などをしているもので、その情報はリモコン受信部７０４を通して制御部７００に伝達され所定の動作・機能が実現されるよう制御される。７０５、７０６はＨＤＤで、本図では２つとしているが１つでもかまわないし、３つ以上でもかまわない。７０７は所定の動画画像を表示する表示部である。この表示部７０７は通常のブラウン管を用いても良いし液晶やプラズマなどのデバイスを用いても良い。音声出力部７０８は前記動画画像に対する音声を出力するものでステレオ出力でもモノでもかまわない。通信部１  ７０９はインターネット１０１と制御部７００との通信制御を司るもので、同様に通信部２  ７１０はデジタルカメラ、ＰＣ、プリンタなどの外部機器７１１との通信を司るものである。
【００５４】
このようなハード構成でも前述のバックアップ動作及び復帰・復活動作を達成できる。
【００５５】
本実施例でも、予めバックアップしたい番組等のコンテンツ情報をバックアップシステム１０７に通知してバックアップするものである。
【００５６】
この場合の動作、機能、プログラム、データ構成、データ・制御情報遷移等は第一から第三までの実施形態で説明したと同様で同等の効果が達成できる。
【実施例４】
【００５７】
本発明の別の一実施例である電子装置とそのバックアップシステム及びバックアップサービス提供方法におけるバックアップシステムへの特定データの格納と電子装置側でのデータの誤消去時の再生動作を示す動作で電子装置に２つ以上ＨＤＤを内蔵した場合について説明する。
【００５８】
図８は、バックアップシステムへの特定データの格納と電子装置側でのデータの誤消去時の再生動作を示す動作概念図である。図１３は、バックアップシステムでユーザデータを共通化して格納する場合の格納方法と再生時の転送データ作成方法を示す動作フローチャート図である。図１４は、電子装置内部の複数の記憶装置への同一データの格納と格納データの消去方法を示す動作フローチャート図である。図１５は、コンテンツ内容から記憶容量を算出して格納するコンテンツを判断する判断方法を示す動作フローチャート図である。
【００５９】
まず概念的な動作を図８で説明する。ＨＤＤレコーダ１０２に２つのＨＤＤ１０２ａ、１０２ｆがあるとする。ユーザはバックアップしたいコンテンツ情報のうち比較的バックアップ容量の小さいもの、図８では容量１ＧＢであるコンテンツ情報１０２ｂ“Ａ１”及びコンテンツ情報１０２ｄ“Ｃ１”をバックアップ用ＨＤＤ１０２ｆにバックアップする。また、１０ＧＢと大容量であるコンテンツ情報１０２ｄ“Ｂ１”及びコンテンツ情報１０２ｅ“Ｚ１”についてはそれと同時に予めバックアップシステム１０７へのバックアップ要求をしておく。
【００６０】
コンテンツ情報１０２ｂ“Ａ１”ないしコンテンツ情報１０２ｄ“Ｃ１”が配信された場合には、ＨＤＤ１０２ａに配信情報を記録・格納すると同時にＨＤＤ１０２ｆへも記録・格納する。しかしながら、本コンテンツ情報はバックアップシステム１０７ではバックアップしない。一方、コンテンツ情報１０２ｃ“Ｂ１”ないしコンテンツ情報１０２ｅ“Ｚ１”が配信された場合には、ＨＤＤ１０２ａに配信情報を記録・格納すると同時にバックアップシステム１０７でも記録・格納する。しかしながら、本コンテンツ情報はＨＤＤ１０２ｆでは記録・格納しない。
【００６１】
ＨＤＤ１０２ａに記録・格納したコンテンツ情報１０２ｂ“Ａ１”を誤って消去した場合にはバックアップ用ＨＤＤ１０２ｆでバックアップした同一のコンテンツ情報１０２ｂ“Ａ１”を読出し転送１１１して復帰・再生する。ここで、ＨＤＤ１０２ａに記録・格納したコンテンツ情報１０２ｂ“Ａ１”の消去とした場合に説明したが、ＨＤＤ１０２ｆにバックアップしたコンテンツ情報１０２ｂ“Ａ１”の消去防止及び消去方法については図１４を用いて後述する。
【００６２】
なお、コンテンツ情報１０２ｃ“Ｂ１”ないしコンテンツ情報１０２ｅ“Ｚ１”を誤って消去した場合には前述で説明した方法で復帰・再生すれば良い。
【００６３】
次に、通常使用ＨＤＤ１０２ａとバックアップ用ＨＤＤ１０２ｆへの記録・格納動作について図１４を用いて説明する。まず、ユーザが記録保持の要求であるユーザ記録保持要求を入力する（ステップ１４００）。これに対してＨＤＤレコーダ１０２に複数ＨＤＤが存在するか判定する（ステップ１４０１）。複数ＨＤＤが存在しない場合にはＨＤＤ１（すなわちＨＤＤ１０２a）のみ記録・格納するためステップ１４０４を実行する。
【００６４】
もし、複数ＨＤＤが存在する場合には、まずパスワードＰＷ１（本パスワードは予め設定されたシステム全体で単一の、または記録・格納するコンテンツ情報毎に設定しても良い）の入力を要求する（ステップ１４０２）。その後ＨＤＤ２（バックアップ用ＨＤＤ１０２ｆ）に記録・格納（ステップ１４０３）し同時にＨＤＤ１（すなわちＨＤＤ１０２a）のみ記録・格納するためステップ１４０４に移行する。このように複数のＨＤＤにコンテンツ情報を記録・格納するか否かを決定する。
【００６５】
もしユーザが特定のコンテンツ情報を消去しようとする（ステップ１４０５）と、まず複数ＨＤＤに記録・格納しているコンテンツ情報か否かを判断する（ステップ１４０６）。複数ＨＤＤへの記録・格納であればＨＤＤ２情報を消去するか否かを判断する（ステップ１４０７）。ＨＤＤ１のみへの記録・格納であればそのＨＤＤ１のコンテンツ情報の消去を実行する（ステップ１４１０）。ＨＤＤ２情報の消去も必要であれば、まず先に設定したパスワードＰＷ１の入力を要求する（ステップ１４０８）。その後設定したパスワードを入力されたパスワードとを比較・照合する（ステップ１４１１）。一致している場合にはＨＤＤ２情報の消去を実行する（ステップ１４０９）。不一致であればＨＤＤ１情報のみを消去する。このようにバックアップデータであるＨＤＤ２情報まで誤って消去しないようにできる。
【００６６】
また、前述では複数の内蔵ＨＤＤのうち１つをバックアップ専用として説明したが、１つのＨＤＤの一部データ領域のみをバックアップ領域として使用することも可能であることは言うまでもない。
【００６７】
次に自動的にバックアップするコンテンツ情報の選択方法について図１５で説明する。
【００６８】
ユーザがバックアップしたいコンテンツ情報の内容（曜日、開始時間、終了時間、番組名、チャンネルＮｏ．  、画像有無、音声有無、画質、音質、バックアップシステムへのバックアップ要求など）を入力する（ステップ１５００）。
【００６９】
次に、入力された内容の内、記録時間（終了時間―開始時間）、画像有無、音声有無、画質、音質により記録・格納する容量を算出する（ステップ１５０１）。算出した容量が例えば、５ＧＢ以下であれば内蔵ＨＤＤへの格納を準備する（ステップ１５０３）。５ＧＢ以上であればバックアップシステム１０７へのバックアップ要否を判断する（ステップ１５０４）。バックアップが必要であればバックアップシステムへのバックアップを要求する（ステップ１５０５）。
【００７０】
このように、記録・格納に必要な容量を算出することにより内蔵ＨＤＤへの記録・格納すべきコンテンツ情報を自動的に選択できる。本図では算出した記録容量の大きさで記録・格納有無を判断したがバックアップ用ＨＤＤの残容量で判断しても良いし、格納容量と残容量で判断しても良い。
【実施例５】
【００７１】
本発明の別の一実施例であるである電子装置とそのバックアップシステム及びバックアップサービス提供方法におけるバックアップシステムでユーザデータを共通化して格納する場合について図１２で説明する。図１２は、バックアップシステムでユーザデータを共通化して格納する場合のユーザバックアップ情報の構成を説明する構成図である。図１３は、バックアップシステムでユーザデータを共通化して格納する場合の格納方法と再生時の転送データ作成方法を示す動作フローチャート図である。
【００７２】
例えば、複数のユーザが同一コンテンツ情報（同一日時の同一番組）を異なった画質（画像解像度等相違による品質で高品質または中品質）または異なった音質（多重か単一、高品質または普通）でバックアップシステム１０７に記録・格納する場合の記録・格納容量の低減について図１２、図１３で説明する。
【００７３】
ユーザＮｏ．１２０１“ＵＳＥＲ００１”が、注文Ｎｏ．１１００を“０００１”として、曜日１１０１“２００４年５月１４日（金）”で開始時間１１０２“２１：００”、終了時間１１０３“２３：００”、チャンネルＮｏ．１１０４“３３”、番組名１１０５“サンサン”であるコンテンツ情報を画像１１０６“有り：高品質”、音声１１０７を“多重・高品質“でバックアップしたい希望がある一方、ユーザＮｏ．１２０２“ＵＳＥＲ００２”が、注文Ｎｏ．１２０２を“０００１”として、同一の曜日１１０１“２００４年５月１４日（金）”で開始時間１１０２“２１：００”、終了時間１１０３“２３：００”、チャンネルＮｏ．１１０４“３３”、番組名１１０５“サンサン”であるコンテンツ情報を画像１２０４“有り：中品質”、音声１２０５を“単一・普通“でバックアップしたい希望があるとする。同一のコンテンツ情報を同一の条件で２つ以上記録・格納すると記録容量の無駄使いとなる。
【００７４】
そこで図１３のようにデータを共通して格納し、さらにユーザに応じて元データを間引きしてバックアップデータとして転送することにより実現できる。
【００７５】
すなわち、ユーザＮｏ．１２０１“ＵＳＥＲ００１”によるバックアップ要求１（ステップ１３００）でのバックアップ情報１を取得する（ステップ１３０１）。本情報１では画像１１０６を“有り：高品質”、音声１１０７を“多重・高品質“であるので最大格納容量となる。そのデータ１を格納する（ステップ１３０２）。
【００７６】
次にユーザＮｏ．１２０２“ＵＳＥＲ００２”によるバックアップ要求２（ステップ１３０３）でのバックアップ情報２を取得する（ステップ１３０４）。本情報２は画像１１０６“有り：中品質”、音声１１０７を“単一・普通“であるので既に格納・記録しようとする前記コンテンツ情報に比べ容量は小さいし、その前記コンテンツ情報に包含される。
【００７７】
そこで、ステップ１３０５で判断して包含されるのでバックアップ情報２のデータ格納（ステップ１３０６）は実施しないようにする。このようにすれば格納・記録するデータはバックアップ情報１に関するデータのみで済むので格納容量を低減・削減できる。
【００７８】
次に再生・復帰処理を説明する。ユーザＮｏ．１２０２“ＵＳＥＲ００２”によるバックアップ要求２でのバックアップ情報２（画像１１０６を“有り：中品質”、音声１１０７を“単一・普通“）に対応する電子装置内のデータを誤って消去した場合、リカバリ要求２（ステップ１３０７）に実行する。実行されたリカバリ要求２に対しバックアップシステム側はバックアップデータ１を読出して、間引処理を実行する。すなわち、高品質画像を中品質画像に、多重・高品質である音声を単一・中品質に間引いて、バックアップ要求２に合致したデータ状態に変換する（ステップ１３０８）。間引処理後のデータをユーザＮｏ．１２０２“ＵＳＥＲ００２”の電子装置に転送する。
【００７９】
このようにすれば、バックアップデータ容量の削減・低減ができるし同等のサービスを提供できる。
【００８０】
また、本実施形態ではバックアップデータの共通化でのバックアップ容量を低減する場合について説明したが、圧縮機能・伸張機能を用いてバックアップ容量をさらに低減することもできる。
【実施例６】
【００８１】
本発明の別の一実施例である電子装置とそのバックアップシステム及びバックアップサービス提供方法におけるバックアップ情報に対する維持及び再生料金等の料金体系を図５で説明する。図５は、電子装置とそのバックアップシステム及びバックアップサービス提供方法におけるバックアップ情報に対する維持及び再生料金との関係を示す図である。
【００８２】
本実施例の趣旨は、ユーザがバックアップを希望する複数のコンテンツ情報に対し細やかなサービス料金を提供するものである。
【００８３】
まず、コンテンツ情報として米国または日本映画などの動画像５６０、写真集などの静止画像５７０、音楽５８０、ラジオ放送５９０などがある。また、それらコンテンツ情報毎においても、画像５００と音声５１０が必要なもの（動画像５６０）、画像５００のみ必要なもの（静止画像５７０）、音声５１０のみ必要なもの（音楽５８０ないしラジオ放送５９０）など種々ある。さらに画像５００の品質にしても高品質５０１、中品質５０２、低品質５０３などがあり、音声５１０においても多重５１１（日本語＋英語など）、単一５１２（日本語のみ）、高品質５１３、普通５１４などがあり、その組み合わせは膨大である。
【００８４】
それに対し均一的な料金にてサービスを提供されることはユーザにとって不利益である。  また、バックアップシステムでも格納するデータ容量は前記組み合わせにより異なる。例えば、米国映画の動画像を画像高品質５０１、音声多重５１１、音声高品質５１３という条件で格納すると最大となる。また、日本映画のように音声単一５１２で格納すれば前記米国映画に比べデータサイズは小さくなるが静止画像５７０に比べては大きい。一方、ラジオ放送５９０などの画像５００が不必要で音声５１０も普通５１４であればデータサイズは最小となる。
【００８５】
そこで、本発明ではバックアップ要求毎の費用５３０、及びバックアップデータ容量及びデータ時間に比例する維持費用５４０、再生データ転送での費用５５０により勘案される料金体系を提供する。例えば、前記画像高品質５０１、音声多重５１１、音声高品質５１３という条件で「米国映画」を１０日間バックアップし再生データを要求する場合、初期バックアップ費用５２０が￥３／回＊１回＝￥３、維持費用５４０が￥１０／日＊１０日＝￥１００、リカバリ費用が￥５／回＊１回＝￥５の計￥１０８となる。
【００８６】
また、前記「日本映画」では初期バックアップ費用５２０が￥３／回＊１回＝￥３、維持費用５４０が￥７／日＊１０日＝￥７０、リカバリ費用が￥４／回＊１回＝￥４の計￥７７となる。さらに前記「ラジオ放送」では、初期バックアップ費用５２０が￥３／回＊１回＝￥３、維持費用５４０が￥１／日＊１０日＝￥１０、リカバリ費用が￥１／回＊１回＝￥１の計￥１４となる。このようにコンテンツ情報の種類により適正な料金体系でのサービスをユーザに提供できる。
【図面の簡単な説明】
【００８７】
【図１】本発明の一実施例でのインターネットを介しデータのバックアップ及び再生を示す全体機能概要図である。
【図２】本発明の一実施例での情報提供者が地上波デジタル放送局である場合のデータのバックアップ及び再生を示す全体機能概要図である。
【図３】本発明の一実施例での電子装置とバックアップシステムと情報提供者との間でのデータ及び制御情報のやり取りを示す遷移図である。
【図４】本発明の一実施例での電子装置及びバックアップシステムへの同時データ格納と電子装置側でのデータの誤消去時の再生動作を示す動作概念図である。
【図５】本発明の一実施例でのバックアップ情報に対する維持及び再生料金との関係を示す図である。
【図６】本発明の一実施例での電子装置としてのＨＤＤレコーダの内部機能を説明する機能図である。
【図７】本発明の一実施例での電子装置としての液晶ＴＶの内部機能を説明する機能図である。
【図８】本発明の一実施例でのバックアップシステムへの特定データの格納と電子装置側でのデータの誤消去時の再生動作を示す動作概念図である。
【図９】本発明の一実施例での全体の機能を制御するためのプログラム構成を説明する機能図である。
【図１０】本発明の一実施例でのバックアップシステムでのファイル格納を管理する格納情報構成を説明する構成図である。
【図１１】本発明の一実施例でのバックアップシステムでのユーザバックアップ情報の構成を説明する構成図である。
【図１２】本発明の一実施例でのバックアップシステムでユーザデータを共通化して格納する場合のユーザバックアップ情報の構成を説明する構成図である。
【図１３】本発明の一実施例でのバックアップシステムでユーザデータを共通化して格納する場合の格納方法と再生時の転送データ作成方法を示す動作フローチャート図である。
【図１４】本発明の一実施例での電子装置内部の複数の記憶装置への同一データの格納と格納データの消去方法を示す動作フローチャート図である。
【図１５】本発明の一実施例でのコンテンツ内容から記憶容量を算出して格納するコンテンツを判断する判断方法を示す動作フローチャート図である。
【符号の説明】
【００８８】
１００…コンテンツプロバイダ、１００ａ…コンテンツ情報、
１０１…インターネット、１０２，１、０３，１０４…ＨＤＤレコーダ、
１０５，１０６…液晶ＴＶ、
１０２ａ、１０３ａ、１０４ａ、１０５ａ、１０６ａ、１０７ａ、１０８ａ…ＨＤＤ、
１０２ｆ…ＨＤＤ、
１０２ｂ、１０２ｃ、１０２ｄ、１０２ｅ、１０３ｂ、１０４ｂ、１０５ｂ、１０６ｂ…格納データ、
１０２ｃ、１０２ｄ、１０２ｅ…格納データ、１０７…バックアップシステム、
１０８…バックアップ要求、１０９…再生データ、転送要求、１１０…再生データ、
２００…地上デジタル放送局、２００ａ…コンテンツ情報、
３００…バックアップ要求、３０１…ユーザＩＤ・パスワード要求、
３０２…ユーザＩＤ・パスワード入力、３０３…正規ユーザ確認、
３０４…認証確認通知、３０５…バックアップ情報送信、３０６…コンテンツ配信、
３０７…記録・視聴、３１７…バックアップ、３０８…誤消去、
３０９…再生データ転送要求、３１０…再生データ情報送信、
３１１…バックアップ有無確認、３１２…バックアップデータ送信、
３１３…復帰動作、３１４…消去依頼、３１５…消去動作、３１６…消去完了通知、
５００…画像品質選択、５１０…音声品質選択、５２０…バックアップ容量、
５３０…初期バックアップ費用、５４０…バックアップ維持費用、
５５０…再生データ転送費用、６００…制御部、６０１…Ａ／Ｄコンバータ、
６０２…エンコーダ、６０３…リモコン、６０４…リモコン受信部、
６０８…デコーダ、６０９…Ｄ／Ａコンバータ、６０５、６０６、６０７…ＨＤＤ、
６１０…表示部、６１１…通信部１、６１２…通信部２、６１３…外部機器、
７００…制御部、７０１…アンテナ、７０２…受信部、７０３…リモコン、
７０４…リモコン受信部、７０５、７０６…ＨＤＤ、７０７…画像表示部、
７０８…音声出力部、７０９…通信部１、７１０…通信部２、７１１…外部機器、
９００…ユーザ情報入力プログラム、９０１…バックアップ情報入力プログラム、
９０２…バックアップ情報送信プログラム、
９０３…バックアップデータ転送要求プログラム、
９０４…転送バックアップデータ格納プログラム、
９０５…バックアップデータ消去要求プログラム、
９１０…ユーザ情報管理プログラム、９１１…ユーザ認証プログラム、
９１２…ユーザバックアップデータ格納プログラム、
９１３…ユーザバックアップデータ管理プログラム、
９１４…バックアップデータ消去プログラム、９１５…料金算出プログラム、
１０００…ユーザ情報群、１００１…ユーザ名、１００２…住所、
１００３…パスワード、１００４…登録日、１０１０…ユーザバックアップ情報群、
１０１１…バックアップ内容１、１０１２…データ領域１アドレス、
１０１３…バックアップ内容２、１０１４…データ領域２アドレス、
１０１５…バックアップ内容３、１０１６…データ領域３アドレス、
１０２２…バックアップデータ領域１、１０２４…バックアップデータ領域２、
１０２６…バックアップデータ領域３、１１００…バックアップ要求注文番号、
１１０１…曜日情報、１１０２…開始時間情報、１１０３…終了時間情報、
１１０４…番組チャンネル情報、１１０５…番組名、１１０６…画像品質、
１１０７…音声品質、１１０８…バックアップ容量、１１０９…再生要求有無、
１２０１…注文者番号（ユーザＩＤ）、１２０２…バックアップ要求注文番号、
１２０３…注文者番号（ユーザＩＤ）、１２０４…画像品質、１２０５…音声品質、
１３００…バックアップ要求１、１３０１…バックアップ情報１取得、
１３０２…バックアップデータ１格納、１３０３…バックアップ要求２、
１３０４…バックアップ情報２取得、１３０５…情報比較、
１３０６…バックアップデータ２格納、１３０７…再生データ要求２、
１３０８…バックアップデータ１間引き処理、
１３０９…間引き処理後データ転送処理、１４００…ユーザ記録要求、
１４０１…複数ＨＤＤ有無判断、１４０２…パスワード要求、
１４０３…ＨＤＤ２データ格納、１４０４…ＨＤＤ１データ格納、
１４０５…ユーザ消去要求、１４０６…複数ＨＤＤへのデータ格納有無判断、
１４０７…ＨＤＤ２データ消去要求有無判断、１４０８…パスワード入力要求、
１４０９…パスワード照合、１４１０…ＨＤＤ２データ消去、
１４１１…ＨＤＤ１データ消去
【図１】
2007188377.tif 000003
【図２】
2007188377.tif 000004
【図３】
2007188377.tif 000005
【図４】
2007188377.tif 000006
【図５】
2007188377.tif 000007
【図６】
2007188377.tif 000008
【図７】
2007188377.tif 000009
【図８】
2007188377.tif 000010
【図９】
2007188377.tif 000011
【図１０】
2007188377.tif 000012
【図１１】
2007188377.tif 000013
【図１２】
2007188377.tif 000014
【図１３】
2007188377.tif 000015
【図１４】
2007188377.tif 000016
【図１５】
2007188377.tif 000017